(57)【要約】【課題】  複数のコマーシャルスポンサーのコマーシャル画像が順番に繰返して放映される広告システムにおいて、興味を引いた部分をその場で繰返して見ることができるようにし、必要に応じて、必要な画面をカメラ付き携帯等で撮影・記録できるようにする。【解決手段】  各コマーシャルスポンサーに識別符号を与えて、ディスプレイ装置２を通じて当該コマーシャルスポンサーのコマーシャル画像と同時に放映されるようにし、映像を放映中に、識別符号を速やかに選択することの出来るボタン（早送りボタン６、前後進ボタン７、８）と、放映される映像を一時的に所定時間停止させることのできるストッパボタン４を設け、これらボタンをタクシー等の乗客が操作できる位置に配置する。【選択図】        図３
0003125426.tif 000002
【実用新案登録請求の範囲】
【請求項１】
複数のコマーシャルスポンサーのコマーシャル映像が順に録画されるデータ記憶媒体を、タクシーや貸切バス内部に設置されるデータ読み出し表示手段により、乗客に向けて繰り返して放映するような広告装置であって、前記データ記憶媒体には、各コマーシャルスポンサーのコマーシャル映像が各シーンごと数カット分収録されるとともに、各コマーシャルスポンサーに対応して定められた数字等の識別符号が、当該コマーシャルスポンサーのコマーシャル映像と同時に放映されるようにされており、また、映像を放映中に、任意のコマーシャルスポンサーのコマーシャル映像を選択して優先的に放映するための操作手段が乗客の手の届く位置に設置され、この操作手段は、少なくとも、所望の数字等の識別符号を速やかに選択することのできるボタンと、放映される映像を一時的に所定時間停止させることのできるストッパボタンを備えたことを特徴とするタクシーや貸切バスにおける広告装置。
【考案の詳細な説明】
【技術分野】
【０００１】
本考案は、タクシーや貸切バスの乗客に対して、宣伝効果を上げることのできる広告装置に関する。
【背景技術】
【０００２】
従来、タクシー車内等において、広告用のステッカーやポスター等では、コマーシャルスポンサーの数に限度があり、大量のコマーシャルスポンサーに対応できないため、液晶画面等によりコマーシャル映像を放映することにより、宣伝効果を高めるような技術が知られており、例えばタクシー車内等の乗客の視認できる位置に液晶モニターを設置し、この液晶モニターによってコマーシャル画像を表示するようにした技術（例えば、特許文献１、特許文献２参照。）や、乗客がタクシー内に乗車したことをセンサーが感知すると、ビデオパッケージに録画されたコマーシャル画像をディスプレイ装置により放映するような技術（例えば、特許文献３参照。）や、タクシーメータを課金状態にしたときに、広告情報が記憶される記憶媒体を表示部やスピーカから再生させるような技術（例えば、特許文献４参照。）等が知られている。
【特許文献１】実用新案登録第３００６１７７号公報
【特許文献２】実用新案登録第３１１２８５７号公報
【特許文献３】特開２０００−２０００７７号公報
【特許文献４】特開２００５−７９５４号公報
【考案の開示】
【考案が解決しようとする課題】
【０００３】
ところが、上記のような技術では、いずれも録画されたコマーシャル画像を一方的に放映するだけで、乗客が、流されたコマーシャル画像のうち興味を引いた部分を再度繰返して見たい場合でもその場では対応できないことが多く、宣伝効果が充分上がらないという問題があった。
【０００４】
そこで本考案は、複数のコマーシャルスポンサーのコマーシャル画像が順番に繰返して放映される広告システムにおいて、興味を引いた部分をその場で繰返して見ることができるようにし、必要に応じて、必要な画面をカメラ付き携帯等で撮影・記録できるようにすることを目的とする。
【課題を解決するための手段】
【０００５】
上記目的を達成するため本考案は、複数のコマーシャルスポンサーのコマーシャル映像が順に録画されるデータ記憶媒体を、タクシーや貸切バス内部に設置されるデータ読み出し表示手段により、乗客に向けて繰り返して放映するような広告装置において、前記データ記憶媒体に、各コマーシャルスポンサーのコマーシャル映像を各シーンごと数カット分収録するとともに、各コマーシャルスポンサーに対応して定められた数字等の識別符号を、当該コマーシャルスポンサーのコマーシャル映像と同時に放映するようにし、また、映像を放映中に、任意のコマーシャルスポンサーのコマーシャル映像を選択して優先的に放映するための操作手段を乗客の手の届く位置に設置し、この操作手段として、少なくとも、所望の数字等の識別符号を速やかに選択することのできるボタンと、放映される映像を一時的に所定時間停止させるストッパボタンを設けるようにした。
【０００６】
そして、複数のコマーシャルスポンサーのコマーシャル映像が順に録画されるデータ記憶媒体を乗客に向けて放映中、乗客が興味のあるスポンサーのコマーシャル映像をその場で再度見たい場合、そのコマーシャルスポンサーに対応して定められた数字等の識別符号を選択することにより、その場で再び見ることができるようにする。そして、必要に応じて、所望の画面をストッパボタンで所定時間停止させれば、カメラ付き携帯等で撮影・記録できるため、宣伝効果が一層高まる。
【０００７】
ここで、データ記憶手段としては、例えばＤＶＤやＣＤやビデオ等であり、データ読み出し表示手段としては、ＤＶＤプレーヤ、ＣＤプレーヤ、ビデオプレーヤに接続されるディスプレイ装置等が適用可能であるが、収録するデータ容量や設置スペース等の観点からＤＶＤプレーヤと液晶ディスプレイの組み合わせ等が好ましい。
また、操作手段としては、少なくとも、一時的に所定時間画像を停止させるストッパボタンと、所望のコマーシャルスポンサーを速やかに選択できるボタンを設けるようにするが、このような所望のコマーシャルスポンサーを速やかに選択できるボタンとしては、例えば早送りの前後進ボタンや、セレクトボタン等である。
なお、操作手段のボタンとしては、少なくとも、所望の識別符号を速やかに選択できるボタンと、放映される映像を一時的に停止させるストッパボタンが備わっていればよいが、その他、一定の画像を繰返し映像するためのリピートボタン等を設けるのは任意である。
【０００８】
また、ストッパボタンによる画像の所定の停止時間としては、例えばカメラ付き携帯等で撮影したり、メモを取って記録する等のため、１０秒程度が好ましい。
更に、一つのデータ記憶媒体に収録するコマーシャルスポンサーの数としては、乗客に対してあまり飽きられず、しかも宣伝効果が低下するのを防止するため、１０社〜１５社程度が好ましい。
【考案の効果】
【０００９】
タクシーや貸切バスの内部において、複数のコマーシャルスポンサーが提供するコマーシャル画像を繰返して放映中、乗客の興味を引いたコマーシャル画像をその場で再度確認することができ、しかも、記録したいような画像では、所定時間停止させることができるようにすることで、宣伝効果を格段に高めることができる。
【考案を実施するための最良の形態】
【００１０】
本考案の実施の形態について添付した図面に基づき説明する。
ここで図1は本考案に係る広告装置をタクシーに装備した例を示す説明図、図２はＤＶＤに録画したコマーシャル画像の収録内容の一例を示す説明図、図３はディスプレイ装置と操作盤の一例の説明図である。
【００１１】
本考案のタクシーや貸切バスにおける広告装置は、乗客が複数人存在する場合でも乗客同士の結びつきが濃い場合に、宣伝効果を高めるのに有効な装置として構成され、複数のコマーシャルスポンサーのコマーシャル画像を順番に繰返して放映することにより乗客に強い印象を与え、また、乗客が興味を引いたスポンサーのコマーシャル画像をその場で繰返して見ることができるようにされるとともに、必要に応じて、必要な画面をカメラ付き携帯等で撮影したり、メモを取って記録したりできるようにされている。
【００１２】
すなわち、本広告装置をタクシーに装備した場合を例にとって説明すると、本装置は、図1に示すように、タクシー１内の乗客が見ることの出来る位置に設置されるデータ読み出し表示手段としてのディスプレイ装置２と、このディスプレイ装置に接続され且つ運転者が操作できる位置にセットされる不図示のＤＶＤプレイヤーと、本実施例では、ディスプレイ装置２と一体に設けられ且つ乗客の手の届く位置にセットされる操作手段としての操作盤３を備えている。
そして、コマーシャル画像が録画されたデータ記憶媒体としてのＤＶＤが、ＤＶＤプレイヤーにセットされ、タクシーが走行中、コマーシャル画像を放映するようにされている。
【００１３】
ここで、ＤＶＤに録画されたコマーシャル画像の収録内容の一例を図２に基づき説明する。
ＤＶＤには、複数のコマーシャルスポンサーのコマーシャル画像が順に録画され、1社のコマーシャルスポンサーのコマーシャル画像が、複数シーンのカットに分割されて収録されている。そして、本実施例では、図２に示すように、コマーシャルスポンサーの総数が１２社であり、1社のコマーシャル画像が、それぞれ全て６カット分収録されている。
なお、このカットの一例としては、例えば、１カット目がコマーシャルスポンサーの施設の外観を示す写真等、２カット目がポイントメニューの写真等、３カット目がスタッフの顔写真等、４カット目が宣伝文字や写真等、５カット目が路線案内・道順・乗り物の下車駅名等、６カット目が連絡先・ＴＥＬ・ＦＡＸ・施設名等である。
【００１４】
そして、このように収録されたコマーシャル画像は、図２の１段目の１社目の６カット分が、左から右に向けて順次放映され、続いて２段目の２社目の６カット分が、左から右に向けて順次放映され、続いて３社目の６カット分、４社目の６カット分が同様な要領で放映され、最後に１２社目の６カット分の放映が同じ要領で行われると、最初の１段目に戻ってエンドレス状態でコマーシャル画像の放映が繰返されるようになっている。
【００１５】
このとき、１段目の１社目の１カット、２カット、３カット、…、６カットのコマーシャル画像には、１−１、１−２、１−３、…、１−６という識別符号が付与されており、同様に、２社目のコマーシャル画像には、２−１、２−２、…、２−６の識別符号が、以下、同様に、図２に示す識別符号が付与され、この識別符号が、図３に示す、ディスプレイ装置２に表示されるコマーシャル画像のうち、該当するコマーシャル画像と一緒に表示されるようになっている。
【００１６】
前記操作盤３は、本実施例では、図３に示すようにディスプレイ装置２の下方に一体に設けられ、画像を一時的に一定時間停止させるためのストッパボタン４と、所望の画像を繰返して放映させるためのリピートボタン５と、画像を早送りするための早送りボタン６と、画像送りを前進させるための前進ボタン７と、画像送りを後進させるための後進ボタン８を備えている。
【００１７】
そして、例えば、今、８−１の識別符号が付与されるコマーシャル画像が放映されている場合、７−４のコマーシャル画像を再度見たい場合、後進ボタン８や早送りボタン６を押して７−４の識別符号が付与される画面を表示する。そして、記録する必要がある場合、例えば、ストッパボタン４を押して画像を一時的に停止させ、カメラ付き携帯で撮影したり、メモを取ったりできるようにする。
なお、本実施例では、ストッパボタン４による画像の停止時間を１０秒にしている。
【００１８】
以上のような広告装置において、乗客は放映されるコマーシャル画像のうち、気にかかった部分、または興味を引いた部分があった場合には、操作盤３の各種ボタン６、７、８を操作して繰返して映像を流すことで確認することができ、また、必要に応じて、ストッパボタン４を押して記録できるため、宣伝効果をより高めることができる。
【００１９】
なお、以上の実施例では、各コマーシャルスポンサーの各カットごとに識別符号を表示するようにしているが、各コマーシャルスポンサー単位で識別符号を表示するようにしても良い（実施例では１〜１２）。また、この場合、所望の識別符号を表示するためのボタンとして、各コマーシャルスポンサに対応して、セレクトボタンを複数個（実施例では１２のセレクトボタン）設けるようにしても良い。
【００２０】
更に、本実施例では識別符号として、数字を使用しているが、数字の代わりに、アルファベットや、その他の符号にすることも可能である。
【産業上の利用可能性】
【００２１】
タクシー等で複数のコマーシャルスポンサーの提供するコマーシャル映像を繰返して放映することにより、大量のスポンサーの宣伝を効果的に行えるとともに、乗客に興味のあるスポンサーのコマーシャル画像をその場で繰返して確認できるため、今後のコマーシャルシステムとして利用価値が高い。
【図面の簡単な説明】
【００２２】
【図１】図1は本考案に係る広告装置をタクシーに装備した例を示す説明図
【図２】ＤＶＤに録画したコマーシャル画像の収録内容の一例を示す説明図
【図３】ディスプレイ装置と操作盤の一例の説明図
【符号の説明】
【００２３】
１…タクシー、２…ディスプレイ装置、３…操作盤、４…ストッパボタン、６…早送りボタン、７…前進ボタン、８…後進ボタン。
【図１】
0003125426.tif 000003
【図２】
0003125426.tif 000004
【図３】
0003125426.tif 000005
【手続補正書】
【提出日】平成18年7月27日(2006.7.27)
【手続補正１】
【補正対象書類名】実用新案登録請求の範囲
【補正対象項目名】全文
【補正方法】変更
【補正の内容】
【実用新案登録請求の範囲】
【請求項１】
複数のコマーシャルスポンサーのコマーシャル映像が順に録画されるデータ記憶媒体を、タクシーやバス内部に設置されるデータ読み出し表示手段により、乗客に向けて繰り返して放映するような広告装置であって、前記データ記憶媒体には、各コマーシャルスポンサーのコマーシャル映像が各シーンごと数カット分収録されるとともに、各コマーシャルスポンサーに対応して定められた数字等の識別符号が、当該コマーシャルスポンサーのコマーシャル映像と同時に放映されるようにされており、また、映像を放映中に、任意のコマーシャルスポンサーのコマーシャル映像を選択して優先的に放映するための操作手段が乗客の手の届く位置に設置され、この操作手段は、少なくとも、所望の数字等の識別符号を速やかに選択することのできるボタンと、放映される映像を一時的に所定時間停止させることのできるストッパボタンを備えたことを特徴とするタクシーやバスにおける広告装置。
【手続補正３】
【補正対象書類名】明細書
【補正対象項目名】０００１
【補正方法】変更
【補正の内容】
【０００１】
本考案は、タクシーやバスの乗客に対して、宣伝効果を上げることのできる広告装置に関する。
【手続補正４】
【補正対象書類名】明細書
【補正対象項目名】０００５
【補正方法】変更
【補正の内容】
【０００５】
上記目的を達成するため本考案は、複数のコマーシャルスポンサーのコマーシャル映像が順に録画されるデータ記憶媒体を、タクシーやバス内部に設置されるデータ読み出し表示手段により、乗客に向けて繰り返して放映するような広告装置において、前記データ記憶媒体に、各コマーシャルスポンサーのコマーシャル映像を各シーンごと数カット分収録するとともに、各コマーシャルスポンサーに対応して定められた数字等の識別符号を、当該コマーシャルスポンサーのコマーシャル映像と同時に放映するようにし、また、映像を放映中に、任意のコマーシャルスポンサーのコマーシャル映像を選択して優先的に放映するための操作手段を乗客の手の届く位置に設置し、この操作手段として、少なくとも、所望の数字等の識別符号を速やかに選択することのできるボタンと、放映される映像を一時的に所定時間停止させるストッパボタンを設けるようにした。
【手続補正５】
【補正対象書類名】明細書
【補正対象項目名】０００９
【補正方法】変更
【補正の内容】
【０００９】
タクシーやバスの内部において、複数のコマーシャルスポンサーが提供するコマーシャル画像を繰返して放映中、乗客の興味を引いたコマーシャル画像をその場で再度確認することができ、しかも、記録したいような画像では、所定時間停止させることができるようにすることで、宣伝効果を格段に高めることができる。
【手続補正６】
【補正対象書類名】明細書
【補正対象項目名】００１１
【補正方法】変更
【補正の内容】
【００１１】
本考案のタクシーやバスにおける広告装置は、乗客が複数人存在する場合でも乗客同士の結びつきが濃い場合に、宣伝効果を高めるのに有効な装置として構成され、複数のコマーシャルスポンサーのコマーシャル画像を順番に繰返して放映することにより乗客に強い印象を与え、また、乗客が興味を引いたスポンサーのコマーシャル画像をその場で繰返して見ることができるようにされるとともに、必要に応じて、必要な画面をカメラ付き携帯等で撮影したり、メモを取って記録したりできるようにされている。